(57)【要約】【課題】  簡素な構成で好適に主発光部の発光量を変化させることができる押圧式の機能切替装置を提供することである。【解決手段】  押圧部材２０及びベース部材２３、２８は導光部材を兼ねており、ベース部材２３、２８は、発光素子１０から出射された光線の主光線ａを押圧部材２０に向かい反射する機能を備えておりベース部材２３、２８は、ユーザーが押圧部材２０を押圧していない場合、発光素子１０から出射された光線の主光線ａを押圧部材２０の中央部２１（第一の発光部）に向かい導光しており、ベース部材２３、２８は、ユーザーが押圧部材２０を押圧している場合、発光素子１０から出射された光線の主光線ａを押圧部材２０の周辺部２２（第二の発光部）に向かい導光していることを特徴とする。【選択図】  図３
2019090977.tif 000002
【特許請求の範囲】
【請求項１】
ユーザーが機能を切り替えるために押圧動作を行う押圧部材と、前記押圧部材を開口部に保持する外装部材と、前記外装部材の内側に配置され、前記押圧部材を保持するとともにユーザーが押圧動作を行うことで前記押圧方向に押圧されるベース部材と、発光素子と、を有する機能切替装置であって、
前記押圧部材及び前記ベース部材は導光部材を兼ねており、
前記ベース部材は、前記発光素子から出射された光線の主光線を前記押圧部材に向かい反射する機能を備えており
前記ベース部材は、ユーザーが前記押圧部材を押圧していない場合、前記発光素子から出射された光線の主光線を前記押圧部材の中央部に向かい導光しており、
前記ベース部材は、ユーザーが前記押圧部材を押圧している場合、前記発光素子から出射された光線の主光線を前記押圧部材の周辺部に向かい導光していることを特徴とする機能切替装置。
【請求項２】
ユーザーが機能を切り替えるために押圧動作を行う押圧部材と、前記押圧部材を開口部に保持する外装部材と、前記外装部材の内側に配置され、前記押圧部材を保持するとともにユーザーが押圧動作を行うことで前記押圧方向に押圧されるベース部材と、前記ベース部材の内側に配置される発光素子と、を有する機能切替装置であって、
前記押圧部材及び前記ベース部材は導光部材を兼ねており、
前記ベース部材は、第１の反射面、第２の反射面を備え、
前記第１の反射面は、ユーザーが前記押圧部材を押圧していない場合、前記発光素子から出射された光線の主光線を前記押圧部材の中央部に向かい反射しており、
前記第２の反射面は、ユーザーが前記押圧部材を押圧している場合、前記発光素子から出射された光線の主光線を前記押圧部材の周辺部に向かい反射しており、
前記ベース部材に形成された第１の反射面は、前記ベース部材に形成された第２の反射面に比べて前記発光素子に対して遠い位置に配置されていることを特徴とする機能切替装置。
【請求項３】
前記押圧部材の中央部を通り、ユーザーが前記押圧部材を押圧する方向と平行に伸びた軸を第１の軸と定義した場合、
前記発光素子から出射される光線の主光線は、前記第１の軸と直交しており、
前記第１の軸及び主光線を含む第１の面内において、前記第１の軸と前記第２の反射面の成す角度は、前記第１の軸と前記第１の反射面の成す角度よりも大きい請求項２に記載の機能切替装置。
【請求項４】
ユーザーが機能を切り替えるために押圧動作を行う押圧部材と、前記押圧部材を開口部に保持する外装部材と、前記外装部材の内側に配置され、前記押圧部材を保持するとともにユーザーが押圧動作を行うことで前記押圧方向に押圧されるベース部材と、前記ベース部材の内側に配置される発光素子と、を有する機能切替装置であって、
前記押圧部材及び前記ベース部材は導光部材を兼ねており、
前記ベース部材は、前記発光素子から出射された光線の主光線を前記押圧部材に向かい導光する機能を備えており、
ユーザーが前記押圧部材を押圧していない場合、前記発光素子から出射された光線の主光線が前記ベース部材の光学面で屈折することで前記押圧部材の中央部に向かい導光しており、
ユーザーが前記押圧部材を押圧している場合、前記発光素子から出射された光線の主光線が前記ベース部材の光学面で反射することで前記押圧部材の周辺部に向かい導光していることを特徴とする押圧式の機能切替装置。
【請求項５】
前記押圧部材の中央部を通り、ユーザーが前記押圧部材を押圧する方向と平行に伸びた軸を第１の軸と定義した場合、前記発光素子から出射される光線の主光線は、前記第１の軸と平行であり、
前記第１の軸及び主光線を含む第１の面内において、前記ベース部材の光学面は、前記発光素子に向けて凸形状である請求項４に記載の機能切替装置。
【請求項６】
ユーザーが機能を切り替えるために押圧動作を行う押圧部材と、前記押圧部材を開口部に保持する外装部材と、前記外装部材の内側に配置され、前記押圧部材を保持するとともにユーザーが押圧動作を行うことで前記押圧方向に押圧されるベース部材と、前記ベース部材の外側に配置される発光素子と、を有する機能切替装置であって、
前記ベース部材は、前記発光素子から出射された光線の主光線を前記押圧部材に向かい導光する機能を備えており
ユーザーが前記押圧部材を押圧していない場合、前記発光素子から出射された光線の主光線が前記押圧部材の光学面で反射することで前記押圧部材の中央部に向かい導光しており、
ユーザーが前記押圧部材を押圧している場合、前記発光素子から出射された光線の主光線ａが前記押圧部材の光学面で屈折することで前記押圧部材の周辺部に向かい導光していることを特徴とする機能切替装置。
【請求項７】
前記押圧部材の中央部を通り、ユーザーが前記押圧部材を押圧する方向と平行に伸びた軸を第１の軸と定義した場合、
前記発光素子から出射される光線の主光線は、前記第１の軸と平行であり、
前記第１の軸及び主光線ｆを含む第１の面内において、前記発光素子から出射される光線の主光線は、前記外装部材にて反射された後に、前記押圧部材内に導光される請求項６に記載の機能切替装置。
【請求項８】
請求項１乃至７の何れか一項に記載の機能切替装置を備えた撮像装置。
【発明の詳細な説明】
【技術分野】
【０００１】
本発明は、押圧式の機能切替装置に関し、特に、ボタンへの導光手段を有する光線透過型ボタンに関するものである。
【背景技術】
【０００２】
従来、ユーザーによるボタン操作が必要な機器において、操作性、視認性、意匠性向上等の目的で光線透過型ボタンが提案されている。
【０００３】
そして、機器内部に配置された発光部位からボタンへの導光手段が設けられている。
【０００４】
例えば、特許文献１ではボタンとスイッチ本体の間に配置された導光ノブに設けられた屈折面を利用して、ボタン中心からオフセットして配置されたＬＥＤ光をボタンに導光する方法が開示されている。
【先行技術文献】
【特許文献】
【０００５】
【特許文献１】特開２００３−１００１６６号公報
【発明の概要】
【発明が解決しようとする課題】
【０００６】
しかしながら、上述の特許文献に開示された従来技術では、ボタン押下時におけるボタンの発光部位の切り替えについては言及されていない。
【０００７】
そのため、待機時と押下時で異なる主発光部位を求める場合、主発光部位を変化させるために光源の発光箇所や発光量を制御するためのプログラムおよび制御回路が必要となる。
【０００８】
そこで、本発明の目的は、より簡素な構成で好適に主発光部の発光量を変化させることができる押圧式の機能切替装置を提供することである。
【課題を解決するための手段】
【０００９】
上記目的を達成するために、本発明の押圧式の機能切替装置は、ユーザーが機能を切り替えるために押圧動作を行う押圧部材と、前記押圧部材を開口部に保持する外装部材と、前記外装部材の内側に配置され、前記押圧部材を保持するとともにユーザーが押圧動作を行うことで前記押圧方向に押圧されるベース部材と、発光素子と、を有する機能切替装置であって、
前記押圧部材及び前記ベース部材は導光部材を兼ねており、
前記ベース部材は、前記発光素子から出射された光線の主光線を前記押圧部材に向かい反射する機能を備えており
前記ベース部材は、ユーザーが前記押圧部材を押圧していない場合、前記発光素子から出射された光線の主光線を前記押圧部材の中央部に向かい導光しており、
前記ベース部材は、ユーザーが前記押圧部材を押圧している場合、前記発光素子から出射された光線の主光線を前記押圧部材の周辺部に向かい導光していることを特徴とする。
【発明の効果】
【００１０】
本発明によれば、導光経路をメカ的に切り替えることで、光源の発光箇所や発光量を制御するためのプログラムおよび制御回路を用いずに、主発光部を変化させることができる。
【図面の簡単な説明】
【００１１】
【図１】本実施形態の光線透過型ボタンを搭載した撮像装置の外観斜視図である。
【図２】本実施形態の撮像装置のブロック図である。
【図３】本実施形態の光線透過型ボタンの外観斜視図である。
【図４】本実施形態の第一の実施形態における光線透過型ボタンの断面図である。
【図５】本実施形態の第二の実施形態における光線透過型ボタンの断面図である。
【図６】本実施形態の第三の実施形態における光線透過型ボタンの断面図である。
【発明を実施するための形態】
【００１２】
（第一の実施形態）
以下に、本発明の好ましい第一の実施形態を、添付の図面に基づいて詳細に説明する。
【００１３】
図１（ａ）、（ｂ）に本発明の押圧式の機能切替装置としての光線透過型ボタンを搭載した撮像装置の外観図を示す。
【００１４】
図１（ａ）は、撮像装置１００の前面斜視図であり、図１（ｂ）は撮像装置１００の背面斜視図である。シャッターボタン６１は撮影指示を行うための操作部である。
【００１５】
モード切り替えスイッチ６０は各種モードを切り替えるための操作部である。端子カバー９１は外部機器との接続ケーブルとデジタルカメラ１００とを接続する接続ケーブル等のコネクタ（不図示）を保護するカバーである。
【００１６】
メイン電子ダイヤル７１は回転操作部材であり、このメイン電子ダイヤル７１を回すことで、シャッター速度や絞りなど各種設定値の変更等が行える。
【００１７】
電源スイッチ７２はデジタルカメラ１００の電源のＯＮ及びＯＦＦを切り替える操作部材である。
【００１８】
押圧部材２０は背面カバー３０内に配置された光線透過型ボタンであり、各ボタンにそれぞれ割り当てられた異なる機能を持つ。
【００１９】
ユーザーが押圧動作を行う押圧部材２０の機能は、たとえば撮影画像の再生、拡大、消去、ロック、メニュー表示、インフォメーション表示などの機能を持っている。
【００２０】
そして、それぞれの機能を表すアイコンがボタン表面に表示されることで、ボタンの機能を判別可能である。
【００２１】
ボタンを押すことでそれぞれのボタンの持つ機能が実行される。
【００２２】
照明ボタン２００は、押圧動作を行う押圧部材であり、後述の光源１０を点灯させる機能を持つ。
【００２３】
液晶画面４０はＴＦＴや有機ＥＬを用いた表示装置であり、撮像装置の各種設定画面や撮影画像の表示を行う。サブ電子ダイヤル７３は回転操作部材であり、選択枠の移動や画像送りなどを行える。
【００２４】
ＳＥＴボタン７６は押しボタンであり、主に選択項目の決定などに用いられる。
【００２５】
クイックリターンミラー１２は、不図示のシステム制御部３０から指示されて、不図示のアクチュエータにより回動される。
【００２６】
通信端子１０は、撮像装置としてのデジタルカメラ１００が不図示の撮影レンズ（着脱可能）と通信を行う為の通信端子である。
【００２７】
接眼ファインダー１６は、不図示のフォーカシングスクリーンを観察することで、不図示のレンズユニットを通して得た被写体の光学像の焦点や構図の確認を行うための覗き込み型のファインダーである。
【００２８】
グリップ部９０は、ユーザーがデジタルカメラ１００を構えた際に右手で握りやすい形状とした保持部である。
【００２９】
図２に、本発明の撮像装置における押圧式の機能切替構成を示すブロック図を簡略化して示す。
【００３０】
本発明の撮像装置における押圧部材２０としての種々のボタンがキーＣＰＵ７０に接続されている。
【００３１】
押圧部材２０が、ユーザーにより押圧されると、キーＣＰＵ７０を中継してマイクロコンピュータ１０００に信号が送られ、マイクロコンピュータ１０００により押圧されたボタンの機能が動作する。
【００３２】
照明ボタン２００が、ユーザーにより押圧されると、キーＣＰＵ７０を中継してマイクロコンピュータ１０００に信号が送られる。
【００３３】
そして、マイクロコンピュータ１０００からＬＥＤ駆動回路１００１に対して、後述の光源１０としてのＬＥＤを点灯駆動させる信号を発することで、光源１０を点灯動作させる。
【００３４】
図３に、押圧部材２０の外観斜視図を示す。押圧部材２０は導光可能な透明部材で成形され、本実施例では透明ＰＣ樹脂が使用されている。
【００３５】
他には、ＰＭＭＡ等の透明な部材であればその材料は問わず使用可能である。
【００３６】
第一の発光部２１および第二の発光部２２は、押圧部材２０で使用された透明部材が外観に露出し、後述の発光素子としての光源１０から導光され、撮像装置の外観として発光して見える部位である。
【００３７】
第一の発光部２１は押圧部材２０の天頂に設けられたキートップ部に設けられ、ボタンアイコンとして形成される。
【００３８】
ボタンアイコンはボタンに割り当てられた異なる機能に応じて、任意のいかなる形状でもよい。
【００３９】
第二の発光部２２は押圧部材２０の外筒部のキートップ部近傍に円周状に設けられており、押圧部材２０の天頂を指で押した場合でも、接触しない位置に設定される。
【００４０】
押圧部材２０の、第一の発光部２１および第二の発光部２２以外の外観面は、本実施例では隠ぺい性の高い塗装により覆われ、非導光となる。
【００４１】
樹脂の二色成形やプラめっき等、光源１０から導光された光を隠ぺいできる表面処理であればいかなる材質でもよい。
【００４２】
ベース部材２３は、透明部材で形成され、押圧部材２０の押下時に弾性変形してクリック力としての反力を発生させる部材である。
【００４３】
そして、第１の反射面２４および第２の反射面２５を持ち、押圧部材２０に対し接着または圧入されて結合される。
【００４４】
また、後述の図４で示す導電接触部２９を持っている。
【００４５】
そして、押圧部材２０の押下時に導光部材２３が弾性変形するとともにフレキシブル基板２６に形成された不図示の導電パターン部に導電接触部２９が接触することで押圧部材２０の押下を検知する。
【００４６】
保持板金２７は、押圧部材２０押下時の荷重を受けるための板金部材であり、外装部材３０に対しビスで締結されている。
【００４７】
外装部材３０には、押圧部材２０を配置するための開口部としての穴が形成されており、外装部材３０の外観面と穴壁面との境界線にあたる部分に、外装斜面３１が形成されている。
【００４８】
本実施例では、Ｃ面として配置されているが、Ｒ面でもよい。
【００４９】
図４（ａ）、（ｂ）に本発明の光線透過型ボタンの断面図を示し、本発明の導光構造について説明する。
【００５０】
図４（ａ）は、押圧部材２０が押されていない状態を表す。光源１０はフレキシブル基板２６に実装され、フレキシブル基板の配線パターンにより電源供給されており、本実施例では側方照射タイプのＬＥＤを使用している。
【００５１】
ベース部材２３、２８は、第１の反射面２４および第２の反射面２５を備えている。
【００５２】
ベース部材２３、２８は、外装部材の内側に配置され、押圧部材２０（光線透過型ボタン）を保持するとともにユーザーが押圧動作を行うことで押圧方向に押圧されている。
【００５３】
押圧部材２０が押されていない状態では、撮像装置の機能をユーザーに対して明示する目的として、押圧部材２０の機能を示すアイコンである第一の発光部２１を主発光部として照明を行うことが好ましい。
【００５４】
ベース部材２３、２８は、発光素子１０から出射された光線の主光線ａを押圧部材２０に向かい反射する機能を備えている。
【００５５】
そして、発光素子１０から出射された光線の主光線ａは、第１の反射面２４により反射し、前記押圧部材２０の中央部２１に向かう。
【００５６】
第１の反射面２４は、主光線の反射角が押圧部材２０のキートップ中央部すなわち破線矢印ｂ方向となるように形成されていることで、第一の発光部２１を主発光部として照明することができる。
【００５７】
ユーザーが押圧部材２０を押圧する方向と平行に伸びた軸を第１の軸と定義し、図３（ｂ）は、ユーザーが前記押圧部材２０を押圧している状態を表す。
【００５８】
発光素子１０から出射される光線の主光線は、第１の軸と直交している。
【００５９】
このとき、ベース部材２３、２８は、発光素子１０から出射された光線の主光線ａを押圧部材２０の周辺部２２に向かい導光している。
【００６０】
押圧部材２０が押されている状態では、ボタンを押下したことをユーザーに明示する目的として、押圧部材２０の外周縁である第二の発光部２２を主発光部として照明を行うことが好ましい。
【００６１】
これは、第一の発光部２１がユーザーの指により覆われてしまい、発光がユーザーの目に届かないためである。
【００６２】
押圧部材２０が押下されると、導光部材２３の屈曲部２８が屈曲し、導電接触部２９がフレキシブル基板２６に形成された不図示の導電パターン部に当接し、これにより、押圧部材２０が押下されたことを検出する。
【００６３】
ユーザーが前記押圧部材２０を押圧している場合、発光素子１０から出射された光線の主光線ａは第２の反射面２５により、押圧部材２０の周辺部２２に向かう破線矢印ｃ方向へ反射される。
【００６４】
第二の反射面２５の反射角は、主光線である破線矢印ｃが第二の発光部２２の方向へと向く角度に設計されている。
【００６５】
第二の発光部２２から破線矢印ｄの方向に出た拡散光線は、前述のとおり外装部材３０に設けられた外装斜面３１において、破線矢印ｅ方向へ反射する。
【００６６】
押圧部材２０押下時にユーザーの指を避けた位置として押圧部材２０外周部の円周状の箇所を好適に光らせることができる。
【００６７】
ベース部材２３、２８に形成された第１の反射面２４は、ベース部材２３、２８に形成された第２の反射面２５に比べて発光素子１０に対して遠い位置に配置されている。
【００６８】
このように、待機時と押下時で異なる主発光部位を求める場合、光源１０の発光箇所や発光量を制御するためのプログラムおよび制御回路を用いることなく、押圧部材２０押下に連動して主発光部位を切り替えることができる。
【００６９】
（第二の実施形態）
以下に、本発明の好ましい第二の実施形態を、添付の図面に基づいて詳細に説明する。
【００７０】
本発明の撮像装置および光線透過型ボタンの概要は、図１（ａ）、（ｂ）、図２に示すとおり、第一の実施形態と同様である。
【００７１】
図５（ａ）、（ｂ）に本発明の第二の実施形態における光線透過型ボタンの断面図を示し、本発明の導光構造について説明する。
【００７２】
図５（ａ）は、押圧部材２０が押されていない状態を表す。光源１０はフレキシブル基板２６に実装され、フレキシブル基板の配線パターンにより電源供給されており、本実施例では垂直照射タイプのＬＥＤを使用している。
【００７３】
本実施例での導電接触部２９は光源１０を避けた形状として押圧部材２０の同心円状の形状で設けられている。
【００７４】
押圧部材２０が押されていない状態では、撮像装置の機能をユーザーに対して明示する目的として、押圧部材２０の機能を示すアイコンである第一の発光部２１を主発光部として照明を行うことが好ましい。
【００７５】
ユーザーが押圧部材２０を押圧していない場合、発光素子１０から出射された光線の主光線ａがベース部材２３、２８の光学面２４で屈折することで押圧部材２０の中央部２１に向かい導光する。
【００７６】
第１の軸及び主光線を含む第１の面内において、ベース部材２３、２８の光学面は、発光素子１０に向けて凸形状である。
【００７７】
このときの主光線方向を破線矢印ｇで示す。破線矢印ｈは拡散光を示す。
【００７８】
この構造により第一の発光部２１を主発光部として照明することができる。
【００７９】
図５（ｂ）は、押圧部材２０がユーザーの指により押下された状態を表す。
【００８０】
押圧部材２０が押されている状態では、ボタンを押下したことをユーザーに明示する目的として、押圧部材２０の外周縁である第二の発光部２２を主発光部として照明を行うことが好ましい。
【００８１】
これは、第一の発光部２１がユーザーの指により覆われてしまい、発光がユーザーの目に届かないためである。
【００８２】
押圧部材２０が押下されると、導光部材２３の屈曲部２８が屈曲し、導電接触部２９がフレキシブル基板２６に形成された不図示の導電パターン部に当接し、これにより、押圧部材２０が押下されたことを検出する。
【００８３】
ユーザーが押圧部材２０を押圧している場合、発光素子１０から出射された光線の主光線ａは前記光学面２４により、押圧部材２０の周辺部２２に向かう破線矢印ｃ方向へ反射される。
【００８４】
この時の主光線方向を破線矢印ｆで示す。
【００８５】
第二の発光部２２から破線矢印ｄの方向に出た拡散光線は、前述のとおり外装部材３０に設けられた外装斜面３１において、破線矢印ｅ方向へ反射する。
【００８６】
押圧部材２０押下時にユーザーの指を避けた位置として押圧部材２０外周部の円周状の箇所を好適に光らせることができる。
【００８７】
このように、待機時と押下時で異なる主発光部位を求める場合、光源１０の発光箇所や発光量を制御するためのプログラムおよび制御回路を用いることなく、押圧部材２０押下に連動して主発光部位を切り替えることができる。
【００８８】
（第三の実施形態）
以下に、本発明の好ましい第三の実施形態を、添付の図面に基づいて詳細に説明する。
【００８９】
本発明の撮像装置および光線透過型ボタンの概要は、図１（ａ）、（ｂ）、図２に示すとおり、第一の実施形態と同様である。
【００９０】
図６（ａ）、（ｂ）に本発明の第二の実施形態における光線透過型ボタンの断面図を示し、本発明の導光構造について説明する。
【００９１】
図６（ａ）は、押圧部材２０ａおよび押圧部材２０ｂが押されていない状態を表す。
【００９２】
光源１０は、フレキシブル基板２６に実装され、フレキシブル基板２６の配線パターンにより電源供給されている。
【００９３】
押圧部材２０の中央部２１を通り、ユーザーが押圧部材２０を押圧する方向と平行に伸びた軸を第１の軸と定義した場合、発光素子１０から出射される光線の主光線ｆは、第１の軸と平行である。
【００９４】
本実施例では、垂直照射タイプのＬＥＤを使用している。
【００９５】
押圧部材２０ａおよび押圧部材２０ｂが押されていない状態では、撮像装置の機能をユーザーに対して明示する目的としている。
【００９６】
押圧部材２０ａおよび押圧部材２０ｂの機能を示すアイコンである第一の発光部２１を主発光部として照明を行うことが好ましい。
【００９７】
発光素子１０は、ベース部材２３、２８の外側に配置される。
【００９８】
第１の軸及び主光線ｆを含む第１の面内において、発光素子１０から出射される光線の主光線ｆは、外装部材３０の反射面３２で反射された後に、押圧部材内に導光される。
【００９９】
この時の主光線方向を破線矢印ｍで示す。
【０１００】
押圧部材２０ａおよび押圧部材２０ｂに設けられた第一の反射面２４により破線矢印ｎ方向へ反射することで、押圧部材２０の中央部２１に向かい導光される。
【０１０１】
主光線の反射角が押圧部材２０ａおよび押圧部材２０ｂのキートップ中央部すなわち破線矢印ｎ方向となるように形成されていることで、第一の発光部２１を主発光部として照明することができる。
【０１０２】
図５（ｂ）は、押圧部材２０ｂがユーザーの指により押下された状態を表す。
【０１０３】
押圧部材２０ｂが押されている状態では、ボタンを押下したことをユーザーに明示する目的として、押圧部材２０ｂの外周縁である第二の発光部２２を主発光部として照明を行うことが好ましい。
【０１０４】
これは、第一の発光部２１がユーザーの指により覆われてしまい、発光がユーザーの目に届かないためである。
【０１０５】
押圧部材２０ｂが押下されると、導光部材２３の屈曲部２８が屈曲し、導電接触部２９がフレキシブル基板２６に形成された不図示の導電パターン部に当接し、これにより、ボタン２０ｂが押下されたことを検出する。
【０１０６】
ユーザーが押圧部材２０を押圧している場合、発光素子１０から出射される光線の主光線ｆは、外装部材３０の反射面３２で反射された後に、押圧部材２０の光学面２５で屈折することで押圧部材２０の周辺部２２に向かい導光される。
【０１０７】
この時の主光線方向を破線矢印ｐで示す。
【０１０８】
第二の発光部２２から破線矢印ｄの方向に出た拡散光線は、外装部材３０に設けられた外装斜面３１において、破線矢印ｅ方向へ反射する。
【０１０９】
押圧部材２０ｂ押下時にユーザーの指を避けた位置として押圧部材２０ｂ外周部の円周状の箇所を好適に光らせることができる。
【０１１０】
このように、複数のボタンを同一の光源で光らせる場合においても、光源１０の発光箇所や発光量を制御するためのプログラムおよび制御回路を用いることなく、押下されたボタンの主発光部位をボタン個々に切り替えることができる。
【０１１１】
以上、本発明の好ましい実施形態について説明したが、本発明は、これらの実施形態に限定されず、その要旨の範囲内で種々の変形及び変更が可能である。
【符号の説明】
【０１１２】
１００  撮像装置（デジタルカメラ）
１０  光源（発光素子）
２０  光線透過型ボタン（押圧部材）
２１  押圧部材を構成する第一の発光部（中央部）
２２  押圧部材を構成する第二の発光部（周辺部）
２３  ベース部材（導光部材）
２４  第１の反射面
２５  第２の反射面
２６  フレキシブル基板
２７  保持板金
２８  ベース部材（屈曲部）
２９  導電接触部
３０  外装部材
３１  外装斜面
【図１】
2019090977.tif 000003
【図２】
2019090977.tif 000004
【図３】
2019090977.tif 000005
【図４】
2019090977.tif 000006
【図５】
2019090977.tif 000007
【図６】
2019090977.tif 000008